(57)【要約】【課題】意匠パネルに運転状態などを表示する、表示の視認性が良く、意匠性に優れた空気調和機の室内機を提供する。【解決手段】ユニット本体１の前面に開閉可能または取り外し可能に設けられた意匠パネル２と、ユニット本体１の前面側に配設された表示装置７とを備え、意匠パネル２が透明な樹脂材料によって形成されるとともに、その裏面に光が透過可能な塗装または印刷がなされ、表示装置７は表示の輪郭が縁取られた印刷シート１２と、先端面に印刷シート１２が貼り付けられた基板ホルダー１３と、基板ホルダー１３に区画形成された複数の投光窓１７と、投光窓１７に挿入されたＬＥＤ１６と、ＬＥＤ１６が実装された表示基板１４と、表示基板１４を収容するベース部材１５と、基板ホルダー１３を前方に付勢するバネ２０と、を有し、印刷シート１２がバネ２０によって意匠パネル２の裏面にほぼ密接するように押し付けられる。【選択図】図４
2010025550.tif 000002
【特許請求の範囲】
【請求項１】
前面が開口したユニット本体と、前記前面に開閉可能または取り外し可能に設けられた意匠パネルと、前記ユニット本体の前面側に配設された表示装置と、を備えた空気調和機の室内機であって、
前記表示装置は、投射される表示の輪郭が縁取られた印刷シートと、該印刷シートが前面に貼付された基板ホルダーと、該基板ホルダーに固定された基板と、該基板に搭載された発光手段と、前記基板ホルダーを移動自在に保持するベース部材と、前記基板ホルダーを前方に付勢するバネと、を備え、
前記意匠パネルが、透明な樹脂材料によって形成されるとともに、その裏面には光が透過可能な塗装または印刷がなされ、
前記意匠パネルが前記前面を閉じた状態において、前記基板ホルダーに貼付された印刷シートが前記バネによって前記意匠パネルの裏面に押し付けられ、且つ、前記発光手段の消灯時は、前記意匠パネルに何も表示されず、一方、前記発光手段の点灯時または点滅時には、前記印刷シートにて輪郭が縁取られた表示が前記意匠パネルに映し出されることを特徴とする空気調和機の室内機。
【請求項２】
前記基板ホルダーに投光窓が形成され、該投光窓に前記発光手段が挿入されていることを特徴とする請求項１記載の空気調和機の室内機。
【請求項３】
前記投光窓の内面が白色系であることを特徴とする請求項２記載の空気調和機の室内機。
【請求項４】
前記意匠パネルが開いた状態では、前記基板ホルダーが、前記バネにより前記ユニット本体の前面より突出した状態で前方へ付勢されることを特徴とする請求項１乃至３の何れかに記載の空気調和機の室内機。
【請求項５】
前記バネは、前記ベース部材の四隅にそれぞれ配置されていることを特徴とする請求項１乃至４の何れかに記載の空気調和機の室内機。
【発明の詳細な説明】
【技術分野】
【０００１】
本発明は、空気調和機の室内機に関し、特に室内機の運転状態等を明瞭に表示する表示方法に関する。
【背景技術】
【０００２】
空気調和機の運転状態等を表示する表示方法として、一般的にはＬＥＤなどの表示素子の光を照射する表示窓と表示内容を表す文字、記号等とを室内機本体の適当な箇所（例えば、前面下方部）に配置して表示を行っている。従来、かかる表示部のデザイン性および全体的な意匠バランスについて、また、表示の視認性や光漏れの防止などについて、様々な工夫がなされている。
【０００３】
例えば、特許文献１には、表示素子が実装されるプリント基板からの実装高さのばらつきを抑え、表示素子と表示窓との間隔を小さくするために、表示パネルに対してプリント基板を斜めに傾けて設置する方法が開示されている。
特許文献２には、表示燈窓と表示燈との位置関係を安定させ、光漏れを防止するために、電装部品をオープンパネル側に裏面からフックにより係止する構成が開示されている。
特許文献３には、操作パネルに外装板のランプ取付部に対向した側板を設け、外装板のランプ取付部と操作パネルの側板との間にランプを外装板に押圧する押圧部材を設ける空気調和機のランプ支持装置が開示されている。
【先行技術文献】
【特許文献】
【０００４】
【特許文献１】特開２００１−７５５０７号公報（第２−３頁、図５）
【特許文献２】特開２００２−８９８７６号公報（第３−４頁、図１、図３）
【特許文献３】実開平２−８９７０８号公報（第２−６頁、第１図）
【発明の概要】
【発明が解決しようとする課題】
【０００５】
しかし、特許文献１のように表示素子が実装されるプリント基板を表示パネルに対して斜めに傾けて設置する構成では、表示素子の実装高さによって配置に制約を受けるため、表示デザインの自由度が制限されるという問題がある。また、イラストなどの表示をしようとすると輪郭がぼやけてしまい、精細な表示は困難である。
また、特許文献２のように電装部品をオープンパネル側に取り付ける構成では、表示燈窓などをオープンパネルにあける必要があり、意匠性に問題がある。また、多様な表示をしようとすると表示部の取付面積が大きくなるため、多様な表示には適していない。
また、特許文献３では、パネルクッション材等の押圧部材によりランプの基台を固定された外装板に押圧する構成であり、開閉可能なパネルに対するものではない。開閉可能なるパネルに対して表示する場合には、表示パネルと表示素子との間隔を一定に保持する必要があり、表示パネルの反りや表示装置の組立誤差による上記間隔のばらつきがあると、表示が不明瞭になってしまう。
【０００６】
本発明は、上記のような課題に鑑み、開閉可能な意匠パネルに直接空気調和機の運転状態などを示す表示をしようとするものであり、本発明の第１の目的は、表示の視認性が良く、意匠性に優れた空気調和機の室内機を提供することにある。
また、本発明の第２の目的は、意匠面に表示部の形状をなくすことで運転停止時の外観意匠性を向上することができる空気調和機の室内機を提供することにある。
【課題を解決するための手段】
【０００７】
本発明に係る空気調和機の室内機は、前面が開口したユニット本体と、前記前面に開閉可能または取り外し可能に設けられた意匠パネルと、前記ユニット本体の前面側に配設された表示装置と、を備えた空気調和機の室内機であって、
前記表示装置は、投射される表示の輪郭が縁取られた印刷シートと、該印刷シートが前面に貼付された基板ホルダーと、該基板ホルダーに固定された基板と、該基板に搭載された発光手段と、前記基板ホルダーを移動自在に保持するベース部材と、前記基板ホルダーを前方に付勢するバネと、を備え、
前記意匠パネルが、透明な樹脂材料によって形成されるとともに、その裏面には光が透過可能な塗装または印刷がなされ、
前記意匠パネルが前記前面を閉じた状態において、前記基板ホルダーに貼付された印刷シートが前記バネによって前記意匠パネルの裏面に押し付けられ、且つ、前記発光手段の消灯時は、前記意匠パネルに何も表示されず、一方、前記発光手段の点灯時または点滅時には、前記印刷シートにて輪郭が縁取られた表示が前記意匠パネルに映し出されることを特徴とするものである。
【発明の効果】
【０００８】
本発明は、上記のように構成されているので、開閉可能または取り外し可能な意匠パネルに直接空気調和機の運転状態などを表示することができ、かつその表示の視認性が良く、意匠性に優れた空気調和機の室内機が得られる。
【図面の簡単な説明】
【０００９】
【図１】本発明の実施の形態１における空気調和機の運転時の正面図。
【図２】図１の意匠パネルを取り外した状態を示す空気調和機の斜視図。
【図３】図１の空気調和機の断面図。
【図４】表示装置を含む要部の断面図。
【図５】表示装置の正面図。
【図６】表示装置の右側表示体の分解斜視図。
【図７】表示装置の右側表示体の拡大正面図。
【図８】表示装置の右側表示体の背面図。
【図９】表示装置のバネ取付部の断面図。
【図１０】表示装置の動作説明図。
【図１１】本発明の実施の形態２における空気調和機の表示装置の断面図。
【図１２】図１１のＡ−Ａ断面図。
【発明を実施するための形態】
【００１０】
実施の形態１．
以下、本発明の実施の形態1について図１〜図７を参照して説明する。図１は本発明の実施の形態１における空気調和機の運転時の正面図、図２は意匠パネルを取り外した状態を示す空気調和機の斜視図、図３は空気調和機の断面図、図４は表示装置を含む要部の断面図、図５は表示装置の正面図、図６は表示装置の右側表示体の分解斜視図、図７は表示装置の右側表示体の拡大正面図、図８は表示装置の右側表示体の背面図、図９は表示装置のバネ取付部の断面図、図１０は表示装置の動作説明図である。
【００１１】
この空気調和機の室内機は、図１〜図３に示すように、ユニット本体１の前面（固定パネル部あるいはフレーム部）に開閉可能または取り外し可能に設けられた意匠パネル２を備えている。意匠パネル２は、透明な樹脂材料（例えば、ＡＢＳ、ポリエチレン、ポリカーボネート等）で成形されており、裏面には塗装または印刷等により光が透過可能な色で着色された意匠層３が形成されている。したがって、意匠層３は意匠パネル２の表面から見えるようになっている。そして、空気調和機の運転中は運転状態などをユーザに伝えるように所要の表示４が点灯または点滅する状態で意匠パネル２に現れるようになっている。運転停止時には表示４が消灯し意匠パネル２には何も表示されない状態となる。
なお、図１において、表示４を囲む点線は理解のために表示部として図示したものであり、この点線は空気調和機の運転中においても表示されない。また、運転状態を制御するためのセンサ５がユニット本体１の正面中央下部に配置されている。意匠パネル２にはこのセンサ５部分を露出させるためにコ字状切欠き部等からなる窓部６が形成されている。
【００１２】
また、この空気調和機は、図３に示すように、ユニット本体１内に設けられた送風ファン３０により上部吸込口３１より室内空気を吸い込み、フィルタ３２を通過させ熱交換器３３により熱交換して冷気または暖気とし、その冷気または暖気をフラップ３４を備える下部吹出口３５より室内へ送風するようになっている。なお、図３において、３６はドレンパンである。
【００１３】
そして、前記表示４を行うための表示装置７は、図２に示すように、ユニット本体１の前面側の好ましくは下方部に配設されている。表示装置７は、図５に示すように、中央部に前記センサ５部分を配置し、その左右に空気調和機の運転状態等を表す表示体８、９を配置した一体構成の表示ユニットとなっている。この例では、左側表示体８は、主にイラストによって、クリーンサイン８ａ、ＥＣＯサイン８ｂが表示されるようになっており、右側表示体９は、運転ランプ／エリアライン９ａ、室内温度９ｂが幾何図形や数字、記号等で表示されるようになっている。なお、図５において、１０はセンサ５の近傍に配置されたリモコン用受信器であり、１１はセンサ５を左右動させるセンサ駆動モータである。
【００１４】
ここで、表示装置７の構造及び取付についてさらに詳細に説明する。左右の表示体８、９は同じ構成であるので、ここでは右側の表示体９について説明する。
まず、図６の分解図に示すように、右側の表示体９は、印刷シート１２、基板ホルダー１３、表示基板１４、およびベース部材１５から主として構成されている。
【００１５】
印刷シート１２は、前記表示４として意匠パネル２の裏面の意匠層３に投射される数字、記号、イラスト等が輪郭を縁取り印刷されたものであり、基板ホルダー１３の先端面に接着剤で貼り付けられている。特に、室内温度を示す数字については大きな数字で印刷して見やすくしている。また、印刷シート１２には、意匠パネル２を開けたときにユーザが取扱説明書の機能説明と照らし合わせができるように、前記クリーンサイン８ａ、ＥＣＯサイン８ｂ、運転ランプ／エリアライン９ａ、室内温度９ｂの名称がこれらの表示の近傍に記載されている。これらの表示の名称は意匠パネル２には表示されない。
【００１６】
基板ホルダー１３は、ＡＢＳ等の樹脂材料からボックス状に成形されており、表示素子としてのＬＥＤ１６が挿入される投光窓１７および数字表示ユニット１８の取付窓１９が区画形成されている。投光窓１７には開口面積の大きさに応じて１つまたは複数個のＬＥＤ１６が挿入されている。ＬＥＤ１６は表示内容に応じて色光を変えている。また、基板ホルダー１３は、投光窓１７の内面がＬＥＤ光の反射壁を兼ねているため、少ない数のＬＥＤで可能な限り広い範囲を表示（投射）するために樹脂色を可視光線の反射率の高い白色系とし、数字などの表示はＬＥＤの設置間隔が狭くなり、かつ図７に示すように隣接する投光窓（セグメント）１７間の仕切壁１７ａが薄いため、隣り合うＬＥＤの部屋（セグメント）へ光が漏れて数字がぼやけてしまうのを防ぐため、別部品の数字表示ユニット１８で異なる樹脂色の灰色や黒色などの濃色系としている。
【００１７】
表示基板１４は、ＬＥＤ１６が実装されたプリント基板であり、基板ホルダー１３内に図８のようにネジで固定されている。
ベース部材１５は、左右および中央部分がＡＢＳ等の樹脂材料で一体に成形されており、上記の印刷シート１２および表示基板１４が取り付けられた基板ホルダー１３をバネ２０およびフック２１（図９参照）を介して保持している。この表示装置７は、ベース部材１５が、図３、図４に示すように、ドレンパン３６に支持部材３７を介して取り付けられる。
【００１８】
基板ホルダー１３には側壁の後端に一体成形されたフランジ部２２が設けられている。一方、ベース部材１５には一体成形された複数のフック２１が設けられており、基板ホルダー１３とベース部材１５の内部には左右両側にバネ２０が配設されている。バネ２０のストロークは意匠パネル２の反りや表示装置７の組立ばらつきを十分に吸収できる長さとなっている。したがって、意匠パネル２が開いた状態では、基板ホルダー１３がバネ２０によりユニット本体１の前面より多少突出した状態で前方へ付勢されており、意匠パネル２を閉じたときには、基板ホルダー１３がバネ２０により印刷シート１２を介して意匠パネル２の裏面に押し付けられている。
【００１９】
バネ２０は、図９に示すように、基板ホルダー１３に設けられた筒状のバネ受け部２３と、ベース部材１５に設けられたガイド突起２４との間に装着されている。バネ受け部２３の内壁には２つの突起２５が対向状に設けられており、これらの突起２５はバネ２０の巻線の約０．５ピッチもしくは１．５ピッチもしくは２．５ピッチ分だけ高さを変えて設けられている。これにより、バネ２０を約１回転程度回転させることで、バネ２０の一端部をバネ受け部２３内の突起２５に係合させて取り付けることができる。また、ベース部材１５のガイド突起２４はバネ２０内に挿入され、基板ホルダー１３がバネ２０の中心軸方向と中心軸から数度傾いた方向へ動くことができるようになっている。このため、基板ホルダー１３はバネ２０により前後方向の動きのほか、左右・上下方向への傾動が可能になっている。
【００２０】
次に、上記のように構成された表示装置７による表示方法について説明する。
通常の使用状態であるユニット本体１に設けられた意匠パネル２を閉じた状態においては、意匠パネル２の裏面で基板ホルダー１３がバネ２０の力に抗して押し下げられ、基板ホルダー１３の先端面に貼着された印刷シート１２が意匠パネル２裏面の意匠層３にほぼ密接した状態となる。リモコン操作で空気調和機の運転を開始すると、設定温度や風向等の運転状態に応じて所定のＬＥＤ１６が点灯し、印刷シート１２に印刷されている数字、記号、イラスト等の表示４が意匠層３に投影される。
したがって、ユーザは意匠パネル２に映し出された表示４を見ることによって、空気調和機の運転状態などを確認することができる。表示４は印刷シート１２に印刷されているため、精細な表示が可能であるばかりでなく、明瞭で見やすい大きな表示とすることができる。そのため、表示の視認性がきわめて良好なものとなる。また、表示４は中央のセンサ５に対して左右に表示できるようになっているため、意匠的にもバランスが良く、表示デザインの自由度が高いものとなっている。さらに、空気調和機の運転を停止すると、意匠パネル２上の表示４が消え、何も表示されない状態となる。したがって、意匠パネル２の外観意匠性が向上する。
【００２１】
この意匠パネル２は透明な樹脂材料で成形されているので、多少なりとも反りが生じることがある。また、表示装置７の組立やユニット本体１への取付等においてもばらつきが生じることがある。このような、意匠パネルの反りや表示装置７の組立等のばらつきが原因で、意匠パネル２と印刷シート１２との間の隙間が１ｍｍ程度以上になると、表示４がぼやけてしまう。そこで、バネ２０によって上記原因となる反りやばらつきを吸収することにしている。すなわち、バネ２０により基板ホルダー１３の先端面をユニット本体１の前面より突出させるとともに、基板ホルダー１３の左右および上下方向の傾動を可能にしている。そして、係止手段として、基板ホルダー１３にはフランジ部２２を、ベース部材１５にはフック２１を設け、基板ホルダー１３をベース部材１５によって保持する構成となっている。
この構成による作用は次のとおりである。例えば、図１０に示すように（但し、意匠パネルの反りは示していない）、意匠パネル２が左上向きに反っていた場合には、基板ホルダー１３は１３ａで示すように左側が突出して傾斜し、意匠パネル２が右上向きに反っていた場合には、基板ホルダー１３は１３ｂで示すように右側が突出して傾斜する。このように、左右のバネ２０の伸縮の差により基板ホルダー１３を意匠パネル２の反りに対応して自在に傾かせることができる。したがって、意匠パネル２の反りや表示装置７の組立ばらつき等があっても、意匠パネル２と基板ホルダー１３先端の印刷シート１２とをほぼ密接状態にすることができる。よって、上述のように精細かつ明瞭な表示が可能となる。
【００２２】
実施の形態２．
基板ホルダー１３を前方へ付勢するバネ２０は、上記のように左右に１個ずつ配置しても良く、またベース部材１５の四隅に４個配置しても良い。しかし、バネ２０の個数が多くなると、それだけ部品点数も増加し、ひいてはコスト増となるので、本実施の形態ではバネ２０を１個としたものである。
【００２３】
図１１は本実施の形態における空気調和機の表示装置７の断面図、図１２は図１１のＡ−Ａ断面図である。
意匠パネル２の反りは、一般的に長手方向の中央部が大きく、端部側が小さい。そこで図１１に示すように、１個のバネ２０を実施の形態１と同様に左側（表示装置７の中央側）に配置し、右側（端部側）は基板ホルダー１３を回動自在にベース部材１５と軸２６で結合する。軸２６は、図１２に示すように、基板ホルダー１３に設けられた取付板２７に長穴２８を設けて長穴２８に遊嵌するヒンジ構造とするのが好ましい。さらに、板バネ２９を基板ホルダー１３のヒンジ部近傍のフランジ下面に形成し、板バネ２９によって基板ホルダー１３のヒンジ部を持ち上げるように前方へ付勢する構造とするのが好ましい。
【００２４】
上記のように構成することによって、意匠パネル２の反りの大きい方はバネ２０により基板ホルダー１３が１３ａのように大きな角度で傾斜し、意匠パネル２の反りの小さい方はヒンジ部の軸２６と長穴２８との遊び（ガタ）により１３ｂのように小さな角度で傾斜する。このため、意匠パネル２の反りの大きさに応じて意匠パネル２と基板ホルダー１３先端の印刷シート１２とをほぼ密接状態にすることができ、かつコスト低減が可能となる。
【符号の説明】
【００２５】
１  ユニット本体、２  意匠パネル、３  意匠層、４  表示、５  センサ、６  窓部、７  表示装置、８  左側表示体、９  右側表示体、１０  リモコン用受信器、１１  センサ駆動モータ、１２  印刷シート、１３  基板ホルダー、１４  表示基板、１５  ベース部材、１６  ＬＥＤ、１７  投光窓、１８  数字表示ユニット、１９  取付窓、２０  バネ、２１  フック、２２  フランジ部、２３  バネ受け部、２４  ガイド突起、２５  突起、２６  軸、２７  取付板、２８  長穴、２９  板バネ、３０  送風ファン、３１  上部吸込口、３２  フィルタ、３３  熱交換器、３４  フラップ、３５  下部吹出口、３６  ドレンパン、３７  支持部材。 
【図１】
2010025550.tif 000003
【図２】
2010025550.tif 000004
【図３】
2010025550.tif 000005
【図４】
2010025550.tif 000006
【図５】
2010025550.tif 000007
【図６】
2010025550.tif 000008
【図７】
2010025550.tif 000009
【図８】
2010025550.tif 000010
【図９】
2010025550.tif 000011
【図１０】
2010025550.tif 000012
【図１１】
2010025550.tif 000013
【図１２】
2010025550.tif 000014